(57)【要約】【課題】所定の領域内に設置された複数の通信機器の中から、誤って設置された通信機器を見つけ出して設定を変更することを容易にする機器管理システムを提供する。【解決手段】機器管理システムは、所定の領域に設置される複数の通信機器を管理する機器管理システムであって、前記通信機器と通信する通信部と、前記所定の領域を選択する選択操作に応じて、前記所定の領域に設置される前記通信機器の識別情報、及び該通信機器の設置場所に関する情報を含む機器管理情報を取得する取得部と、前記取得部が取得した前記機器管理情報を用いて、前記所定の領域に設置される前記通信機器の設置場所を示す表示画面を表示させる表示制御部と、前記取得部が取得した前記機器管理情報を用いて、前記所定の領域に設置される前記通信機器に、該通信機器の所定の部位を制御する制御信号を送信する機器制御部と、を有する。【選択図】図４
2018074282.tif 000002
【特許請求の範囲】
【請求項１】
所定の領域に設置される複数の通信機器を管理する機器管理システムであって、
前記通信機器と通信する通信部と、
前記所定の領域を選択する選択操作に応じて、前記所定の領域に設置される前記通信機器の識別情報、及び該通信機器の設置場所に関する情報を含む機器管理情報を取得する取得部と、
前記取得部が取得した前記機器管理情報を用いて、前記所定の領域に設置される前記通信機器の設置場所を示す表示画面を表示させる表示制御部と、
前記取得部が取得した前記機器管理情報を用いて、前記所定の領域に設置される前記通信機器に、該通信機器の所定の部位を制御する制御信号を送信する機器制御部と、
を有する機器管理システム。
【請求項２】
前記機器制御部は、
前記表示画面への第１の操作に応じて、前記所定の領域に設置される前記通信機器の各々に順次に前記制御信号を送信する請求項１に記載の機器管理システム。
【請求項３】
前記機器管理情報を管理し、
前記機器制御部による前記所定の部位の制御に成功したときに行われる前記表示画面への第２の操作に応じて、前記所定の部位の制御に成功した前記通信機器の前記識別情報と、該通信機器の前記設置場所とを対応付けする管理部を有する請求項１又は２に記載の機器管理システム。
【請求項４】
前記機器制御部は、
前記機器制御部による前記所定の部位の制御に失敗した後に行われる前記表示画面への第３の操作に応じて、前記対応付けが行われていない通信機器である未設定機器に前記制御信号を送信する請求項３に記載の機器管理システム。
【請求項５】
前記表示制御部は、
前記未設定機器に対する前記所定の部位の制御に成功したときに行われる前記表示画面への第４の操作に応じて、前記未設定機器の設定情報を変更するための設定画面を表示させる請求項４に記載の機器管理システム。
【請求項６】
前記機器制御部は、
前記表示画面への第５の操作に応じて、前記所定の領域に設置される前記通信機器に前記制御信号を一斉に送信する請求項１に記載の機器管理システム。
【請求項７】
前記所定の部位は、光を発する光源を含み、
制御信号は、
前記通信機器に前記光源を点灯又は点滅させるための情報を含む請求項１乃至６のいずれか一項に記載の機器管理システム。
【請求項８】
前記制御信号は、
前記通信機器の前記光源を、該通信機器の前記識別情報、又は該通信機器が使用する無線チャネルに応じて異なるパターンで点灯又は点滅させるための情報を含む請求項７に記載の機器管理システム。
【請求項９】
前記制御信号は、
前記通信機器の前記光源を、該通信機器の前記識別情報と該通信機器の前記設置場所との対応付けが完了しているかに応じて異なるパターンで点灯又は点滅させるための情報を含む請求項７に記載の機器管理システム。
【請求項１０】
所定の領域に設置される複数の通信機器と通信可能な機器管理装置であって、
前記所定の領域を選択する選択操作に応じて、前記所定の領域に設定される前記通信機器の識別情報、及び前記所定の領域に設置される前記通信機器の設置場所に関する情報を含む機器管理情報を取得する取得部と、
前記取得部が取得した前記機器管理情報を用いて、前記所定の領域に設置される前記通信機器の設置場所を示す表示画面を表示させる表示制御部と、
前記取得部が取得した前記機器管理情報を用いて、前記所定の領域に設置される前記通信機器に、該通信機器の所定の部位を制御する制御信号を送信する機器制御部と、
を有する機器管理装置。
【請求項１１】
所定の領域に設置される複数の通信機器と通信可能なコンピュータによる機器管理方法であって、
前記コンピュータが、
前記所定の領域を選択する選択操作に基づいて、前記所定の領域に設定される前記通信機器の識別情報、及び前記所定の領域に設置される前記通信機器の設置場所に関する情報を含む機器管理情報を取得するステップと、
前記取得した機器管理情報を用いて、前記所定の領域に設置される前記通信機器の設置場所を示す表示画面を表示させるステップと、
前記取得した機器管理情報を用いて、前記所定の領域に設置される前記通信機器に、該通信機器の所定の部位を制御する制御信号を送信するステップと、
を含む機器管理方法。
【請求項１２】
請求項１１に記載の機器管理方法をコンピュータに実行させるためのプログラム。
【発明の詳細な説明】
【技術分野】
【０００１】
本発明は、機器管理システム、機器管理装置、機器管理方法、及びプログラムに関する。
【背景技術】
【０００２】
屋内の天井等に複数の通信機器（例えば、無線アクセスポイント、ゲートウェイ等）を設置して、管理する技術が知られている。
【０００３】
例えば、照明装置等の通信機器の設置施工時に、設置施工される通信機器の機器ＩＤと、設置される場所の３次元の位置情報とを紐付けて、施工マスタファイルに登録し、通信機器の制御を行うシステムが知られている（例えば、特許文献１参照）。
【０００４】
このように屋内の天井等に複数の通信機器を設置して、管理するシステムにおいて、例えば、領域毎（例えばフロア毎）に予め設定された設定値が異なる通信機器を設置する場合がある。例えば、無線アクセスポイント等の複数の通信機器を設置する場合、限られた無線チャネルを有効に利用するために、隣接した領域間（例えば上下のフロア間）で互いに異なる無線チャネルが予め設定されていることが望ましい。
【発明の概要】
【発明が解決しようとする課題】
【０００５】
しかし、システムの設定を理解している設定担当者が通信機器を設置することはコストの面で望ましくないため、実際にはシステムの設定を十分に理解していない設置作業者によって通信機器の設置が行われる場合がある。このような場合、通信機器の設置時に、通信機器が誤った領域等に設置されてしまう可能性がある。
【０００６】
このような場合、設定担当者は、領域内に誤って設置された通信機器を見つけ出して、通信機器の設定を変更する必要がある。しかし、例えば、特許文献１に示されるような従来の技術では、所定の領域内に設置された複数の通信機器の中から、誤って設置された通信機器を見つけ出して設定を変更することには困難を伴っていた。
【０００７】
本発明の実施の形態は、上記の問題点に鑑みてなされたものであって、所定の領域内に設置された複数の通信機器の中から、誤って設置された通信機器を見つけ出して設定を変更することを容易にする機器管理システムを提供することを目的とする。
【課題を解決するための手段】
【０００８】
上記課題を解決するため、本発明の一実施形態に係る機器管理システムは、所定の領域に設置される複数の通信機器を管理する機器管理システムであって、前記通信機器と通信する通信部と、前記所定の領域を選択する選択操作に応じて、前記所定の領域に設置される前記通信機器の識別情報、及び該通信機器の設置場所に関する情報を含む機器管理情報を取得する取得部と、前記取得部が取得した前記機器管理情報を用いて、前記所定の領域に設置される前記通信機器の設置場所を示す表示画面を表示させる表示制御部と、前記取得部が取得した前記機器管理情報を用いて、前記所定の領域に設置される前記通信機器に、該通信機器の所定の部位を制御する制御信号を送信する機器制御部と、を有する。
【発明の効果】
【０００９】
本発明の一実施形態によれば、所定の領域内に設置された複数の通信機器の中から、誤って設置された通信機器を見つけ出して設定を変更することを容易にする機器管理システムを提供することができる。
【図面の簡単な説明】
【００１０】
【図１】一実施形態に係る機器管理システムの構成例を示す図である。
【図２】一実施形態に係る機器管理装置のハードウェア構成例を示す図である。
【図３】一実施形態に係る通信機器、及び無線通信装置のハードウェア構成例を示す図である。
【図４】一実施形態に係る機器管理システムの機能構成図である。
【図５】一実施形態に係る機器管理情報の一例を示す図である。
【図６】一実施形態に係る機器管理情報の別の一例を示す図である。
【図７】一実施形態に係る機器管理装置の処理の概要を示すフローチャートである。
【図８】一実施形態に係る事前設定画面の例を示す図である。
【図９】第１の実施形態に係る機器管理システムの設定処理の例を示すシーケンス図（１）である。
【図１０】第１の実施形態に係る設定画面の例を示す図である。
【図１１】第１の実施形態に係る通信機器の確認画面の例を示す図である。
【図１２】第１の実施形態に係る確認操作の例を示す図である。
【図１３】第１の実施形態に係る機器管理システムの設定処理の例を示すシーケンス図（２）である。
【図１４】第１の実施形態に係る未設定機器の確認画面の一例を示す図である。
【図１５】第１の実施形態に係る未設定機器の設定画面の例を示す図である。
【図１６】第１の実施形態に係る未設定機器の確認画面の別の一例を示す図である。
【図１７】第２の実施形態に係る機器管理システムの設定処理の例を示すシーケンス図（１）である。
【図１８】第２の実施形態に係る機器管理システムの設定処理の例を示すシーケンス図（２）である。
【図１９】第２の実施形態に係る点滅パターンの例を示す図である。
【発明を実施するための形態】
【００１１】
以下に、本発明の実施の形態について、添付の図面を参照して説明する。
【００１２】
＜システムの構成＞
初めに、本実施形態に係る機器管理システムの構成について説明する。
【００１３】
図１は、一実施形態に係る機器管理システムの構成例を示す図である。機器管理システム１００は、例えば、オフィス等の建物１０７に設置される複数の通信機器１２０−１〜１２０−８、複数の通信機器の設定を行うための機器管理装置１１０、及び機器管理装置１１０に接続される無線通信装置１３０等を含む。なお、以下の説明の中で、複数の通信機器１２０−１〜１２０−８のうち、任意の通信機器を示す場合、「通信機器１２０」を用いる。また、図１に示す通信機器１２０の数は一例であり、通信機器１２０の数は１つ以上の他の数であっても良い。
【００１４】
通信機器１２０は、例えば、無線ＰＡＮ（Personal Area Network）や無線ＬＡＮ（Local Area Network）等の無線通信のアクセスポイント又はゲートウェイ等の機能を有する無線通信機器である。複数の通信機器１２０−１〜１０１−８は、通信機器１２０を識別するための識別情報（以下、機器ＩＤと呼ぶ）を有し、領域毎に予め設定された無線チャネルを用いて無線通信ネットワークを形成する。
【００１５】
例えば、図１において、通信機器１２０−１は、機器ＩＤ「ＩＤ１０１」を有し、領域Ａにおいて無線チャネル「ＣＨ１」を利用して無線通信ネットワークを形成する。また、通信機器１２０−３は、機器ＩＤ「ＩＤ１０３」を有し、領域Ｂにおいて無線チャネル「ＣＨ２」を利用して無線通信ネットワークを形成する。
【００１６】
このように、機器管理システム１００では、限られた無線チャネルを有効に利用するために、隣接した領域間で互いに異なる無線チャネルを利用して無線通信が行われるように設定が行われる。
【００１７】
また、通信機器１２０は、例えば、ＬＥＤ（Light Emitting Diode）等の光源により光を発する発光部１０１を有し、機器管理装置１１０からの制御信号に応じて発光部１０１を点灯又は点滅させることができる。
【００１８】
機器管理装置１１０は、例えば、無線通信装置１３０に接続され、無線通信装置１３０を介して通信機器１２０と通信可能なＰＣ（Personal Computer）や、タブレット端末等の情報処理装置である。或いは、機器管理装置１１０は、通信機器１２０と通信可能な無線通信インタフェースを有する専用の情報処理装置等であっても良い。
【００１９】
機器管理装置１１０は、例えば、図１に示すように複数の通信機器１２０−１〜１２０−８を建物１０７に設置する場合等に、通信機器１２０の設定を行う設定者１０２によって用いられる。
【００２０】
例えば、設定者１０２は、機器管理装置１１０を用いて、各通信機器１２０の無線チャネル等の設定を行い、設置作業者に設置作業を依頼する。また、設定者１０２は、複数の通信機器１２０−１〜１２０−８の設置が完了した後、機器管理装置１１０を用いて、各通信機器１２０が正しく設置されているかを確認し、正しく設置されていない通信機器１２０があれば設定を修正する。
【００２１】
また、機器管理装置１１０は、例えば、無線ＬＡＮや、公衆無線通信等により、インターネット等のネットワーク１０５に接続し、外部サーバ１０６等と通信可能であっても良い。
【００２２】
無線通信装置１３０は、機器管理装置１１０に接続され、通信機器１２０と同じ無線通信方式で、例えば、領域内の各通信機器１２０と通信を行うための通信インタフェースである。
【００２３】
一例として、複数の通信機器１２０−１〜１０１−８は、ＬＡＮ等のローカルネットワーク１０３を介して、外部ゲートウェイ１０４に接続されており、外部ゲートウェイ１０４を介して、外部サーバ１０６と通信可能である。
【００２４】
上記の構成において、設定者１０２は、機器管理装置１１０を用いて、所定の領域（例えば領域Ａ）に設置される通信機器１２０の設置位置を示す表示画面を表示させることができる。
【００２５】
また、設定者１０２は、機器管理装置１１０を用いて、所定の領域に設置される通信機器１２０の所定の部位を制御する（例えば発光部１０１を点滅させる）ことができる。例えば、設定者１０２は、機器管理装置１１０を用いて、所定の領域内に設置される通信機器１２０の発光部１０１を順次に、又は一斉に点滅させることができる。
【００２６】
設定者１０２は、通信機器１２０の設置位置を示す表示画面を見ながら、各通信機器１２０の発光部１０１の確認し、発光部１０１が点滅しない通信機器１２０、すなわち、誤って設置された通信機器１２０を特定することができる。
【００２７】
なお、通信機器１２０が形成する無線通信ネットワークは、例えば、Ｚｉｇｂｅｅ（登録商標）、Ｂｌｕｅｔｏｏｔｈ（登録商標）、又はＵＷＢ（Ultra Wide Band）等の無線ＰＡＮ、或いは無線ＬＡＮ、特定省電力無線等の様々な通信方式によるものであって良い。
【００２８】
＜ハードウェア構成＞
続いて、機器管理装置１１０、通信機器１２０、及び無線通信装置１３０のハードウェア構成について説明する。
【００２９】
（機器管理装置のハードウェア構成）
図２（ａ）は、一実施形態に係る機器管理装置のハードウェア構成例を示す図である。機器管理装置１１０は、一般的なコンピュータの構成を有しており、例えば、ＣＰＵ（Central Processing Unit）１１１、ＲＡＭ（Random Access Memory）１１２、ＲＯＭ（Read Only Memory）１１３、ストレージ装置１１４、外部接続Ｉ／Ｆ（Interface）１１５、入力装置１１６、表示装置１１７、ネットワークＩ／Ｆ１１８、及びバス１１９等を含む。
【００３０】
ＣＰＵ１１１は、ＲＯＭ１１３やストレージ装置１１４等に格納されたプログラムやデータをＲＡＭ１１２上に読み出し、処理を実行することで、機器管理装置１１０の各機能を実現する演算装置である。ＲＡＭ１１２は、ＣＰＵ１１１のワークエリア等として用いられる揮発性のメモリである。ＲＯＭ１１３は、電源を切ってもプログラムやデータを保持することができる不揮発性のメモリである。
【００３１】
ストレージ装置１１４は、例えば、ＨＤＤ（Hard Disk Drive）や、ＳＳＤ（Solid State Drive）等の大容量記憶装置であり、ＯＳ（Operation System）、アプリケーションプログラム（以下、アプリと呼ぶ）、各種データ等を記憶する。
【００３２】
外部接続Ｉ／Ｆ１１５は、機器管理装置１１０に外部装置を接続するための、例えば、ＵＳＢ（Universal Serial Bus）や近距離無線通信等のインタフェースである。外部装置には、例えば、無線通信装置１３０や、外部記憶装置等が含まれる。
【００３３】
機器管理装置１１０は、例えば、外部接続Ｉ／Ｆ１１５により接続される無線通信装置１３０を介して、通信機器１２０と通信を行う。或いは、機器管理装置１１０は、無線通信装置１３０の機能を内部に有しているものであっても良い。
【００３４】
入力装置１１６は、マウス等のポインティングデバイスや、キーボード等の入力デバイスであり、機器管理装置１１０に各操作信号を入力するために用いられる。表示装置１１７はディスプレイ等の表示デバイスであり、機器管理装置１１０による処理結果等を表示する。ネットワークＩ／Ｆ１１８は、機器管理装置１１０をネットワーク１０５、ローカルネットワーク１０３等に接続するための通信インタフェースである。バス１１９は、上記の各構成要素に接続され、アドレス信号、データ信号、及び各種制御信号等を伝送する。
【００３５】
なお、図２の構成は一例であり、例えば、機器管理装置１１０は、入力装置１１６、表示装置１１７７等を外部に有していても良いし、入力装置１１６及び表示装置１１７は、タッチパネルディスプレイ等の一体型の表示入力装置等であっても良い。
【００３６】
（通信機器のハードウェア構成）
図３は、一実施形態に係る通信装置のハードウェア構成例を示す図である。
【００３７】
通信機器１２０は、例えば、ＣＰＵ１２１、ＲＡＭ１２２、フラッシュＲＯＭ１２３、無線通信Ｉ／Ｆ１２４、ネットワークＩ／Ｆ１２５、ＬＥＤ１２６、及びバス１２７等を有する。
【００３８】
ＣＰＵ１２１は、フラッシュＲＯＭ１２３等に格納されたプログラムを実行することにより、通信機器１２０の各機能を実現する演算装置である。ＲＡＭ１２２は、ＣＰＵ１２１のワークエリア等として用いられる揮発性のメモリである。フラッシュＲＯＭ１２３は、通信機器１２０のプログラム、機器ＩＤ、及び設定等の各種の情報を記憶する不揮発性のメモリである。
【００３９】
無線通信Ｉ／Ｆ１２４は、例えば、無線ＰＡＮや、無線ＬＡＮ等の無線通信を行うための無線通信インタフェースである。ネットワークＩ／Ｆ１２５は、通信機器１２０を、ローカルネットワーク１０３等のネットワークに接続するための通信インタフェースである。ＬＥＤ１２６は、ＣＰＵ１２１からの制御に従って発光する発光素子である。バス１２７は、上記の各構成要素に接続され、アドレス信号、データ信号、及び各種制御信号等を伝送する。
【００４０】
（無線通信装置）
図３（ｂ）は、一実施形態に係る無線通信装置のハードウェア構成例を示す図である。無線通信装置１３０は、図３（ａ）に示す通信機器１２０と同様の構成を有しており、また、ネットワークＩ／Ｆ１２５に代えて、外部接続Ｉ／Ｆ１２８を有している。なお、無線通信装置１３０は、ＬＥＤ１２６を有していなくても良い。
【００４１】
外部接続Ｉ／Ｆは、無線通信装置１３０を機器管理装置１１０に接続するための、例えば、ＵＳＢや近距離無線通信等のインタフェースである。
【００４２】
＜機能構成＞
続いて、機器管理システム１００の機能構成について説明を行う。
【００４３】
（機器管理装置の機能構成）
機器管理装置１１０は、通信部４１１、管理部４１２、取得部４１３、表示制御部４１４、機器制御部４１５、操作受付部４１６、及び記憶部４１７等を有する。
【００４４】
通信部４１１は、例えば、図２の外部接続Ｉ／Ｆ１１５、及び図２のＣＰＵ１１１で実行されるプログラム等によって実現され、通信機器１２０と通信するための通信手段である。図４の例では、通信部４１１は、無線通信装置１３０を介して、通信機器１２０と通信を行う。また、別の一例として、通信部４１１は、無線通信装置１３０を介さずに、通信機器１２０と直接通信を行うものであっても良い。
【００４５】
管理部４１２は、例えば、図２のＣＰＵ１１１で実行されるプログラムによって実現される。管理部４１２は、領域毎に、各領域に設置される通信機器１２０の識別情報（機器ＩＤ等）、及び各領域に設置される通信機器１２０の設置位置を示す位置情報（座標情報等）を含む機器管理情報４１８を、例えば、記憶部４１７等に記憶して管理する。管理部４１２が管理する機器管理情報４１８の例を図５、６に示す。
【００４６】
図５は、一実施形態に係る機器管理情報の一例を示す図である。図５の例では、機器管理情報４１８には、無線設定情報５１０、対応情報５２０、及びレイアウト情報５３０等の情報が含まれる。
【００４７】
図５（ａ）は、無線設定情報５１０の一例を示している。無線設定情報５１０には、例えば、各通信機器１２０の機器ＩＤと各通信機器１２０が使用する無線チャネルの情報とが、対応付けて記憶されている。
【００４８】
図５（ｂ）は、対応情報５２０の一例を示している。対応情報には、例えば、「機器ＩＤ」、「領域」、「機器名」、「無線チャネル」、「座標情報」、及び「対応付け」等の情報が含まれる。
【００４９】
「機器ＩＤ」の情報は、通信機器１２０を識別するための識別情報であり、例えば、通信機器１２０のホスト名や、予め登録されたシリアルコード等、通信機器１２０毎に固有の情報である。
【００５０】
「領域」の情報は、通信機器１２０が設置される領域を示す情報である。図５（ｂ）の例では、機器ＩＤ「ＩＤ１０１」の通信機器１２０は、領域「領域Ａ」に設置されることが示されている。
【００５１】
「機器名」の情報は、通信機器１２０の名前を示す情報であり、例えば、機器管理装置１１０が表示する表示画面等において、通信機器１２０を示すために用いられる。図５（ｂ）の例では、機器ＩＤ「ＩＤ１０１」の通信機器は、機器名が「ＧＷ１１」であることが示されている。
【００５２】
「無線チャネル」の情報は、通信機器１２０が使用する無線チャネル（例えば周波数等）を示す情報であり、例えば、図５（ａ）の無線設定情報５１０から取得した情報が記憶されている。図５（ｂ）の例では、機器ＩＤ「ＩＤ１０１」の通信機器は、無線チャネル「１」を使用することが示されている。
【００５３】
「座標情報」は、通信機器１２０が設置される設置場所を示す位置情報の一例であり、例えば、緯度、経度、高度（又は階数）等の３次元の座標情報で表される。
【００５４】
「対応付け」の情報は、通信機器１２０が建物１０７に設置された後、設定者１０２によって通信機器１２０が正しい位置に設置されていることが確認されたときに、対応付けが「済」に設定される。一方、設定者１０２によって通信機器１２０が正しい位置に設置されていることが確認されていない場合、対応付けが「未」に設定されている。
【００５５】
図５（ｃ）は、レイアウト情報５３０の一例を示している。レイアウト情報５３０は、各領域の配置（レイアウト）を示す配置図である。図５（ｃ）の例では、レイアウト情報５３０には、１階のフロア５３１における領域Ａ５３２、及び領域Ｂ５３３の配置と、通信機器１２０の設置位置を示すアイコン５３４等が含まれている。
【００５６】
なお、通信機器１２０の設置位置を示すアイコン５３４は、レイアウト情報５３０に含まれていなくても良い。この場合、例えば、後述する表示制御部４１４が、対応情報５２０に含まれる座標情報に基づいて、配置図上に通信機器１２０の設置位置を示すアイコン５３４を表示させる。
【００５７】
図６は、一実施形態に係る機器管理情報の別の一例を示す図である。図６に示す機器管理情報４１８は、図５（ａ）〜（ｃ）に示す各情報をまとめて管理する場合の例を示している。
【００５８】
図６に示す機器管理情報４１８に含まれる「機器ＩＤ」、「領域」、「機器名」、「無線チャネル」、「座標情報」、及び「対応付け」の情報は、図５に示した対応情報５２０の各情報と同様である。
【００５９】
「配置図」の情報は、例えば、図５（ｃ）に示すようなレイアウト情報５３０を取得するためのＵＲＬ（Uniform Resource Locator）等のリンク情報（参照情報）が記憶されている。なお、レイアウト情報５３０を取得するためのリンク先は、例えば、機器管理装置１１０の記憶部４１７等であっても良いし、外部サーバ１０６等の外部の記憶手段であっても良い。
【００６０】
管理部４１２は、例えば、図５、６に示すような機器管理情報４１８を、例えば、記憶部４１７や外部サーバ１０６等に記憶して、管理する。
【００６１】
ここで、図４に戻り、機器管理装置１１０の機能構成の説明を続ける。
【００６２】
取得部４１３は、例えば、図２のＣＰＵ１１１で実行されるプログラムによって実現され、設定者１０２による所定の領域を選択する選択操作に応じて、選択された領域の機器管理情報４１８を、例えば、記憶部４１７等から取得する。
【００６３】
表示制御部４１４は、例えば、図２のＣＰＵ１１１で実行されるプログラムによって実現され、表示装置１１７等に様々な表示画面（設定画面）を表示させる。例えば、表示制御部４１４は、取得部４１３が取得した所定の領域の機器管理情報４１８を用いて、所定の領域に設置される通信機器１２０の設置位置を示す表示画面を、表示装置１１７等に表示させる。
【００６４】
機器制御部４１５は、表示制御部４１４が表示した表示画面への操作に応じて、所定の領域に設置される通信機器１２０の所定の部位を制御する制御信号を、通信部４１１を介して通信機器１２０に送信する。例えば、機器制御部４１５は、表示制御部４１４が表示した表示画面への操作に応じて、所定の領域に設置される通信機器１２０の発光部１０１を制御（例えば、点滅点灯等）させる制御信号を送信する。
【００６５】
操作受付部４１６は、例えば、図２のＣＰＵ１１１で実行されるプログラム等によって実現され、入力装置１１６等に対する設定者１０２の操作を受け付ける。
【００６６】
記憶部４１７は、例えば、図２のストレージ装置１１４、ＲＡＭ１１２、及び図２のＣＰＵ１１１で実行されるプログラム等によって実現され、例えば、前述した機器管理情報４１８等の様々な情報を記憶する。
【００６７】
（通信機器の機能構成）
通信機器１２０は、無線通信部４２１、設定管理部４２２、記憶部４２３、及び発光制御部４２４等を有する。
【００６８】
無線通信部４２１は、例えば、図３（ａ）の無線通信Ｉ／Ｆ１２４、及び図３（ａ）のＣＰＵ１２１で実行されるプログラム等によって実現され、所定の無線通信により、無線通信装置１３０、及び機器管理装置１１０と通信するための手段である。
【００６９】
設定管理部４２２は、例えば、図３（ａ）のＣＰＵ１２１で実行されるプログラムによって実現され、無線通信部４２１を介して、機器管理装置１１０から受信する設定情報等を、記憶部４２３に記憶して、管理する。なお、設定情報には、例えば、通信機器１２０の機器ＩＤ、機器名、無線チャネル等の情報が含まれる。
【００７０】
記憶部４２３は、例えば、図３（ａ）のフラッシュＲＯＭ１２３、及び図３（ａ）のＣＰＵ１２１で実行されるプログラム等によって実現され、前述した設定情報等の様々な情報を記憶する。
【００７１】
発光制御部４２４は、例えば、図３（ａ）のＣＰＵ１２１で実行されるプログラムによって実現され、無線通信部４２１を介して、機器管理装置１１０から受信する制御情報に従って、ＬＥＤ１２６の発光を制御（例えば、点滅、点灯等）する。
【００７２】
（無線通信装置の機能構成）
無線通信装置１３０は、無線通信部４３１、通信部４３２、及び記憶部４３３等を有する。
【００７３】
無線通信部４２１は、例えば、図３（ｂ）の無線通信Ｉ／Ｆ１２４、及び図３（ｂ）のＣＰＵ１２１で実行されるプログラム等によって実現され、所定の無線通信により、通信機器１２０と通信するための手段である。
【００７４】
通信部４３２は、例えば、図３（ｂ）の外部接続Ｉ／Ｆ１２８、及び図３（ｂ）のＣＰＵ１２１で実行されるプログラム等によって実現され、機器管理装置１１０と通信するための手段である。
【００７５】
記憶部４３３は、例えば、図３（ｂ）のフラッシュＲＯＭ１２３、及び図３（ｂ）のＣＰＵ１２１で実行されるプログラム等によって実現され、無線通信装置１３０の識別情報等の様々な情報を記憶する。
【００７６】
＜処理の流れ＞
続いて、本実施形態に係る機器管理方法の処理の流れについて説明する。
【００７７】
（処理の概要）
図７は、一実施形態に係る機器管理装置の処理の概要を示すフローチャートである。この処理は、例えば、図１に示すように、建物１０７に作業者が複数の通信機器１２０を設置した後、設定者が機器管理装置１１０を用いて、各通信機器１２０が正しく設置されているかを確認するときに実行される処理の概要を示している。
【００７８】
ステップＳ７０１において、機器管理装置１１０の操作受付部４１６は、設定者１０２による所定の領域を選択する選択操作を受付する。例えば、図１において、設定者１０２は、領域Ａにおいて通信機器１２０が正しく設置されているかを確認する場合、領域Ａを選択する選択操作を行う。
【００７９】
ステップＳ７０２において、機器管理装置１１０の取得部４１３は、操作受付部４１６が受付した所定の領域（例えば領域Ａ）の機器管理情報４１８を、記憶部４１７（又は外部サーバ１０６）等から取得する。
【００８０】
ステップＳ７０３において、機器管理装置１１０の表示制御部４１４は、取得部４１３が取得した所定の領域の機器管理情報４１８を用いて、所定の領域に設置される通信機器１２０の設置位置を示す表示画面を、表示装置１１７に表示させる。
【００８１】
ステップＳ７０４において、機器管理装置１１０の機器制御部４１５は、取得部４１３が取得した所定の領域の機器管理情報４１８を用いて、所定の領域に設置される通信機器１２０のＬＥＤ１２６を発光させる制御信号を送信する。例えば、機器制御部４１５は、所定の領域内に設置される通信機器１２０の発光部１０１を順次に、又は一斉に点滅させる。
【００８２】
上記の処理により、設定者１０２は、通信機器１２０の設置位置を示す表示画面を見ながら、各通信機器１２０の発光部１０１の確認し、発光部１０１が点滅しない通信機器１２０、すなわち、誤って設置された通信機器１２０があるかを確認することができる。
【００８３】
（事前設定画面）
図８は、一実施形態に係る事前設定画面の例を示す図である。図８に示す事前設定画面８００は、例えば、機器管理システム１００を提供する事業者のサービス部門やサポート部門に属する設定者１０２が、機器管理装置１１０を用いて、図５、６に示すような機器管理情報４１８を設定するための表示画面の一例を示している。
【００８４】
設定者１０２は、例えば、通信機器１２０の設置が行われる前に、営業所等で図８に示すような事前設定画面８００を用いて、各通信機器１２０の、例えば、機器ＩＤ、無線チャネル等の事前に設定しておく情報を入力する。
【００８５】
設定者１０２は、例えば、図８に示す事前設定画面８００において、「ファイル選択」ボタン８０１を選択することにより、通信機器１２０を設置する領域の配置図データを選択することができる。これにより、設定者１０２は、例えば、図５（ｃ）に示すレイアウト情報５３０、又は図６に示す「配置図」等の情報を設定することができる。
【００８６】
また、設定者１０２は、事前設定画面８００において、領域名の入力欄８０２に領域名を入力することにより、例えば、図５（ｂ）、図６に示す「領域」の情報を設定することができる。
【００８７】
さらに、設定者１０２は、事前設定画面８００において、通信機器名を示すボタン、例えば、「ＧＷ１１」８０４を選択して、通信機器１２０の機器ＩＤの入力欄８０５、座標情報の入力欄８０６、無線チャネルの入力欄８０７等に設定値を入力することができる。
【００８８】
設定者１０２は、必要な情報を入力した後、「データ設定反映と確認」ボタン８０８を選択することにより、入力した情報を、例えば、図５、６に示すような機器管理情報４１８に記憶することができる。
【００８９】
続いて、具体的な処理の流れについて説明する。
【００９０】
［第１の実施形態］
（機器管理システムの設定処理１）
図９は、第１の実施形態に係る機器管理システムの設定処理の例を示すシーケンス図（１）である。この処理は、例えば、図１に示すような機器管理システム１００において、通信機器１２０が正しく設置されている場合に機器管理装置１１０で実行される設定処理の例を示している。
【００９１】
なお、図９に示す処理の開始時点において、例えば、図５、６に示すような機器管理情報４１８が、図８に示すような事前設定画面８００を用いて予め設定されているものとする。また、図９において、破線の矢印は設定者による操作を示している。
【００９２】
ステップＳ９０１において、設定者１０２は、機器管理装置１１０に設定画面の表示操作を行う。
【００９３】
ステップＳ９０２において、機器管理装置１１０の操作受付部４１６が、設定画面の表示操作を受付すると、表示制御部４１４は、表示装置１１７に設定画面を表示させる。
【００９４】
図１０は、第１の実施形態に係る設定画面の例を示す図である。図１０において、設定画面１０００には、領域を選択するための選択欄１００１、選択された領域の配置図のイメージ１００２、及び「この領域の通信機器の設定処理を開始」ボタン１００３等が表示されている。
【００９５】
ステップＳ９０３において、設定者１０２は、図１０に示すような設定画面１０００から、通信機器１２０の設定を行う領域を指定する指定操作を行う。例えば、設定者１０２は、図１０に示すような設定画面１０００において、領域を選択するための選択欄１００１から所定の領域（例えば領域Ａ）を選択する。
【００９６】
ステップＳ９０４において、機器管理装置１１０の操作受付部４１６が、領域の指定操作を受付すると、取得部４１３は、指定された領域の機器管理情報４１８を、例えば、記憶部４１７（又は外部サーバ１０６）等から取得する。
【００９７】
好ましくは、このとき、機器管理装置１１０の表示制御部４１４は、取得部４１３が取得した機器管理情報４１８を用いて、図１０に示すような配置図のイメージ１００２を、設定画面１０００に表示させる。
【００９８】
ステップＳ９０５において、設定者１０２は、図１０に示すような設定画面１０００から、設定処理の開始を指示する開始操作１（第１の操作）を行う。例えば、設定者１０２は、図１０に示すような設定画面１０００において、「この領域の通信機器の設定処理を開始」ボタン１００３を選択する。
【００９９】
ステップＳ９０６において、機器管理装置１１０の操作受付部４１６が、設定の開始操作１を受付すると、機器制御部４１５は、第１の通信機器（例えば、通信機器１２０−１）の情報（機器ＩＤ、無線チャネル等）を取得する。
【０１００】
ステップＳ９０７、Ｓ９０８において、機器管理装置１１０の機器制御部４１５は、無線通信装置１３０を介して、通信機器１２０−１に、ＬＥＤ１２６の点滅を指示する制御情報を送信する。この制御情報には、例えば、通信機器１２０−１の機器ＩＤ、無線チャネル、ＬＥＤ１２６の点滅を指示する情報等が含まれる。
【０１０１】
ステップＳ９０９において、通信機器１２０−１の発光制御部４２４は、無線通信部４２１を介してＬＥＤ１２６の点滅を指示する制御情報を受付すると、ＬＥＤ１２６の点滅を開始する。
【０１０２】
ステップＳ９１０において、機器管理装置１１０の表示制御部４１４は、表示装置１１７等に通信機器の確認画面を表示させる。
【０１０３】
図１１は、第１の実施形態に係る通信機器の確認画面の例を示す図である。図１１において、通信機器の確認画面１１００には、通信機器１２０の確認を促すメッセージ１１０１、通信機器１２０の配置場所を示す配置図１１０２、通信機器のアイコン１１０３、及び情報画面１１０４等が表示されている。
【０１０４】
ステップＳ９１１において、設定者１０２は、通信機器１２０−１の発光部１０１が点滅していることを確認し、確認操作（第２の操作）を行う。
【０１０５】
図１２は、第１の実施形態に係る確認操作の例を示す図である。設定者１０２は、通信機器の確認画面１１００において、メッセージ１１０１に従って、通信機器のアイコン１１０３を、配置図１１０２上の発光部１０１が点滅している通信機器１２０−１に対応する位置１１０７に、通信機器のアイコン１１０３を移動させる。また、設定者１０２は、通信機器の確認画面１１００において、「ＯＫ」ボタン１１０５を選択することにより、確認操作（ＯＫ）を行う。
【０１０６】
ステップＳ９１２において、機器管理装置１１０の操作受付部４１６が、通信機器１２０−１の確認操作（ＯＫ）を受付すると、管理部４１２は、第１の通信機器（通信機器１２０−１）の機器ＩＤと、設置場所（座標情報）との対応付けを行う。例えば、管理部４１２は、図６に示す機器管理情報４１８において、通信機器１２０−１の機器ＩＤ「ＩＤ１０１」に対応する「対応付け」の情報を、「済」に変更する。
【０１０７】
ステップＳ９１３、Ｓ９１４において、機器管理装置１１０の機器制御部４１５は、無線通信装置１３０を介して、通信機器１２０−１に、ＬＥＤ１２６の消灯を指示する制御情報を送信する。
【０１０８】
ステップＳ９１５において、通信機器１２０−１の発光制御部４２４は、無線通信部４２１を介してＬＥＤ１２６の消灯を指示する制御情報を受付すると、ＬＥＤ１２６の点滅を終了する。
【０１０９】
ステップＳ９１６において、機器管理装置１１０の機器制御部４１５は、第２の通信機器（例えば、通信機器１２０−２）の情報（機器ＩＤ、無線チャネル等）を取得する。
【０１１０】
ステップＳ９１７において、機器管理装置１１０は、通信機器１２０−２に対して、ステップＳ９０７〜Ｓ９１２に示すような設定処理を実行する。
【０１１１】
機器管理装置１１０は、上記の処理を、所定の領域に設置された通信機器１２０の各々に対して実行することにより、所定の領域内における全ての通信機器１２０に対して対応付けを行う。
【０１１２】
（機器管理システムの設定処理２）
図１３は、第１の実施形態に係る機器管理システムの設定処理の例を示すシーケンス図（２）である。この処理は、例えば、図１に示すような機器管理システム１００において、通信機器１２０−１が設置されるべき場所に、誤って通信機器１２０−４が設置されている場合における機器管理装置１１０の処理の例を示している。なお、図１３のステップＳ９０１〜Ｓ９０７の処理は、図９に示す設定処理と同様なので、ここでは、図９に示す設定処理と相違点を中心に説明を行う。
【０１１３】
ステップＳ１３０１において、機器管理装置１１０が、無線通信装置１３０を介して通信機器１２０−１に送信した制御情報は、通信機器１２０−１が設置されていないため、通信機器１２０−１に届かないものとする。
【０１１４】
ステップＳ１３０２において、機器管理装置１１０の表示制御部４１４は、例えば、図１１に示すような通信機器の確認画面１１００を表示装置１１７等に表示させる。
【０１１５】
ステップＳ１３０３において、設定者１０２は、通信機器１２０−１の発光部１０１の点滅に失敗したので、通信機器の確認画面１１００のメッセージ１１０１に従って、「ＮＧ」ボタン１１０６を選択することにより、「確認操作（ＮＧ）」（第３の操作）を行う。
【０１１６】
ステップＳ１３０４において、機器管理装置１１０の操作受付部４１６が、確認操作（ＮＧ）を受付すると、表示制御部４１４は、未設定機器の情報を、例えば、図６に示すような機器管理情報４１８から取得し、未設定機器の確認画面を表示させる。
【０１１７】
図１４は、第１の実施形態に係る未設定機器の確認画面の一例を示す図である。図１４において、未設定機器の確認画面１４００には、未設定機器の確認手順を示すメッセージ１４０１、及び未設定機器の一覧１４０２、「ＯＫ」ボタン１４０３、「ＮＧ」ボタン１４０４等が表示されている。ここで、未設定機器とは、例えば、図６に示すような機器管理情報４１８において、「対応付け」の情報が「未」となっている通信機器１２０を示している。
【０１１８】
ステップＳ１３０５において、機器管理装置１１０の機器制御部４１５は、第１の未設定機器の情報（例えば、通信機器１２０−４）を、ステップＳ１３０４で取得した未設定機器の情報から取得する。
【０１１９】
ステップＳ１３０６、Ｓ１３０７において、機器管理装置１１０の機器制御部４１５は、無線通信装置１３０を介して、第１の未設定機器（通信機器１２０−４）に、ＬＥＤ１２６の点滅を指示する制御情報を送信する。
【０１２０】
ステップＳ１３０８において、通信機器１２０−４の発光制御部４２４は、無線通信部４２１を介して、ＬＥＤ１２６の点滅を指示する制御情報を受付すると、ＬＥＤ１２６の点滅を開始する。
【０１２１】
ステップＳ１３０９において、設定者１０２は、第１の未設定機器における発光部１０１の点滅の成功を確認すると、図１４に示す未設定機器の確認画面１４００において、メッセージ１４０１に従って、「ＯＫ」ボタン１４０３を選択する（第４の操作）。
【０１２２】
ステップＳ１３１０において、機器管理装置１１０の表示制御部４１４は、第１の未設定機器の設定画面を表示装置１１７に表示させる。
【０１２３】
図１５は、第１の実施形態に係る未設定機器の設定画面の例を示す図である。図１５に示す未設定機器の設定画面１５００は、図８に示す事前設定画面８００と同様の構成を有しており、第１の未設定機器（通信機器１２０−４）の設定を行うための選択ボタン１５０１が自動的に選択されている。設定者１０２は、この未設定機器の設定画面１５００を用いて、例えば、未設定機器の機器ＩＤ、座標情報、無線チャネル等を変更することができる。
【０１２４】
なお、図１３のステップＳ１３０６、Ｓ１３０７で送信した制御情報に対して、いずれの通信機器１２０もＬＥＤの点滅を開始しない場合は、設定者１０２は、図１４に示す未設定機器の確認画面１４００において、「ＮＧ」ボタン１４０４を選択する。
【０１２５】
この場合、機器管理装置１１０の機器制御部４１５は、第２の未設定端末に対して、ステップＳ１３０５以降の処理を実行する。
【０１２６】
また、別の一例として、機器管理装置１１０は、図１３のステップＳ１３０４において、図１６に示すような未設定機器の確認画面を表示装置１１７に表示させるものであっても良い。
【０１２７】
図１６は、第１の実施形態に係る未設定機器の確認画面の別の一例を示す図である。図１６に示す未設定機器の確認画面には、全ての未設定機器のＬＥＤ１２６を点滅させることを示すメッセージ１６０１、「ＯＫ」ボタン１６０２、「ＮＧ」ボタン１６０３等が表示されている。
【０１２８】
例えば、図１４に示す未設定機器の確認画面１４００において、全ての未設定端末のＬＥＤ１２６を順次に点滅させたときに、いずれの未設定端末もＬＥＤ１２６が点滅しない場合も考えられる。そのため、例えば、図１４に示す未設定機器の確認画面１４００を表示させる前に、図１６に示す未設定機器の確認画面１６００を用いて、誤って設置された通信機器１２０が存在するかを確認することができる。
【０１２９】
例えば、図１６に示す未設定機器の確認画面１６００において、全ての未設定端末のＬＥＤ１２６を一斉に点滅させたときに、いずれの未設定端末もＬＥＤ１２６が点滅しない場合、例えば、図１３のステップＳ１３０２以降の処理を省略することができる。
【０１３０】
以上、本実施形態に係る機器管理システム１００によれば、設定者１０２は、所定の領域内に設置された複数の通信機器１２０の中から、誤って設置された通信機器１２０を容易に見つけ出して設定を変更することができるようになる。
【０１３１】
［第２の実施形態］
第１の実施形態では、例えば、図９に示すように、所定の領域内に設置される通信機器１２０に順次に、ＬＥＤ１２６を点滅させるための制御信号を送信していた。第２の実施形態では、所定の領域内に設置される全ての通信機器１２０に一斉に、ＬＥＤ１２６を点滅させるための制御信号を送信する場合の例について説明する。
【０１３２】
図１７は、第２の実施形態に係る機器管理システムの設定処理の例を示すシーケンス図（１）である。なお、図１７のステップＳ９０１〜Ｓ９０４の処理は、例えば、図９に示す第１の実施形態に係る設定処理と同様なので、ここでは、第１の実施形態との相違点を中心に説明を行う。
【０１３３】
ステップＳ１７０１において、設定者１０２は、例えば、図１０に示すような設定画面１０００において、「この領域の通信機器の設定処理を開始」ボタン１００３を選択することにより、設定の開始操作（第５の操作）を行う。
【０１３４】
ステップＳ１７０２において、機器管理装置１１０の機器制御部４１５は、ステップＳ９０４で取得した機器管理情報４１８から、指定された領域内における全ての通信機器１２０の情報を取得する。
【０１３５】
ステップＳ１７０３、Ｓ１７０４において、機器制御部４１５は、無線通信装置１３０を介して、第１の通信機器（例えば、通信機器１２０−１）に、ＬＥＤ１２６の点滅を指示する制御情報を送信する。
【０１３６】
ステップＳ１７０５において、第１の通信機器（例えば、通信機器１２０−１）の発光制御部４２４は、ＬＥＤ１２６の点滅を開始する。
【０１３７】
ステップＳ１７０６、Ｓ１７０７において、機器制御部４１５は、無線通信装置１３０を介して、第２の通信機器（例えば、通信機器１２０−２）に、ＬＥＤ１２６の点滅を指示する制御情報を送信する。
【０１３８】
ステップＳ１７０８において、第２の通信機器（例えば、通信機器１２０−２）の発光制御部４２４は、ＬＥＤ１２６の点滅を開始する。
【０１３９】
同様にして、機器制御部４１５は、指定された領域内の全ての通信機器１２０に対して、ＬＥＤ１２６の点滅を指示する制御情報を送信する。
【０１４０】
上記の処理により、例えば、所定の領域内に設置される通信機器１２０が、全て正しく設置されている場合、所定の領域内に設置されている全ての通信機器１２０のＬＥＤ１２６が点滅を開始する。
【０１４１】
一方、所定の領域内に誤って設置された通信機器１２０がある場合、誤って設置された通信機器１２０のみＬＥＤ１２６の点滅を行わないので、設定者１０２は、誤って設置された通信機器１２０を容易に特定することができる。
【０１４２】
図１８は、第２の実施形態に係る機器管理システムの設定処理の例を示すシーケンス図（２）である。なお、図１８のステップＳ１７０１、Ｓ１７０２の処理は、図１７に示す設定処理と同様なので、ここでは、図１７に示す設定処理との相違点を中心に説明する。
【０１４３】
ステップＳ１８０１、Ｓ１８０２において、機器制御部４１５は、無線通信装置１３０を介して、第１の通信機器（例えば、通信機器１２０−１）に、点滅パターン１でＬＥＤ１２６の点滅を指示する制御情報を送信する。
【０１４４】
ステップＳ１８０３において、第１の通信機器（例えば、通信機器１２０−１）の発光制御部４２４は、点滅パターン１でＬＥＤ１２６の点滅を開始する。
【０１４５】
ステップＳ１８０４、Ｓ１８０５において、機器制御部４１５は、無線通信装置１３０を介して、第２の通信機器（例えば、通信機器１２０−２）に、点滅パターン２でＬＥＤ１２６の点滅を指示する制御情報を送信する。
【０１４６】
ステップＳ１８０６において、第２の通信機器（例えば、通信機器１２０−２）の発光制御部４２４は、第２の点滅パターンでＬＥＤ１２６の点滅を開始する。
【０１４７】
同様にして、機器制御部４１５は、指定された領域内の全ての通信機器１２０に対して、指定された点滅パターンでＬＥＤ１２６の点滅を指示する制御情報を送信する。
【０１４８】
例えば、図１７に示す処理では、所定の領域内において、異なる位置に設置されている通信機器１２０を特定することは困難である。しかし、図１８に示す処理では、ＬＥＤ１２６の点滅パターンにより、所定の領域内において、異なる位置に設置されている通信機器１２０や、通信チャネルが誤って設定されている通信機器１２０等を特定することができるようになる。
【０１４９】
図１９は、第２の実施形態に係る点滅パターンの例を示す図である。図１９（ａ）は、通信機器１２０の機器ＩＤ毎に異なる点滅パターンでＬＥＤ１２６を点滅させる場合の例を示している。この例では、通信機器１２０の機器ＩＤ毎に異なる点滅パターンでＬＥＤ１２６を点滅させることにより、設定者１０２は、点滅パターンを照合して、通信機器１２０が正しい位置に設置されているかを確認することができるようになる。
【０１５０】
図１９（ｂ）は、無線チャネル毎に異なる点滅パターンでＬＥＤ１２６を点滅させる場合の例を示している。この例では、同じ無線チャネルが設定されている通信機器１２０は、同じ点滅パターンでＬＥＤ１２６を点滅させるので、誤って異なる通信チャネルが設定されている通信機器１２０を容易に特定することができるようになる。
【０１５１】
このように、本実施形態に係る機器管理システム１００によれば、所定の領域内に設置された複数の通信機器１２０の中から、誤って設置された通信機器１２０を見つけ出して設定を変更することを、より短時間（低コスト）で実行することができるようになる。
【０１５２】
また、別の一例として、ＬＥＤ１２６の点滅パターンは、通信機器１２０の対応付けが「済」であるか、「未」であるかによって、異なる点滅パターンを指定するもの等であっても良い。
【０１５３】
なお、ＬＥＤ１２６の点滅パターンは好適な一例であり、本発明の範囲を限定するものではない。例えば、通信機器１２０は複数のＬＥＤ１２６を有し、機器管理装置１１０は、通信機器１２０のＬＥＤ１２６の点滅パターンに代えて、複数のＬＥＤ１２６の点灯パターン等を制御するものであっても良い。或いは、通信機器１２０は、複数の色で発光可能なＬＥＤ１２６を有し、機器管理装置１１０は、通信機器１２０のＬＥＤ１２６の点滅パターンに代えて（又は加えて）、ＬＥＤ１２６の発光色等を制御するものであっても良い。
【０１５４】
また、ＬＥＤ１２６、発光部１０１等は、通信機器１２０における所定の部位の一例である。機器管理装置１１０の機器制御部４１５は、制御情報を用いて、通信機器１２０の音声出力部（所定の部位の別の一例）による音声の出力等を制御するものであっても良い。或いは、機器管理装置１１０の機器制御部４１５は、制御情報を用いて、通信機器１２０の表示部（所定の部位の別の一例）による文字や画像等の表示を制御するものであっても良い。
【符号の説明】
【０１５５】
１００      機器管理システム
１０１      発光部（所定の部位の一例）
１１０      機器管理装置
１２０      通信機器
１２６      ＬＥＤ（光源）
４１１      通信部
４１３      取得部
４１４      表示制御部
４１５      機器制御部
４１８      機器管理情報
１１００    通信機器の確認画面（表示画面の一例）
【先行技術文献】
【特許文献】
【０１５６】
【特許文献１】特開２０１５−５４５９号公報
【図１】
2018074282.tif 000003
【図２】
2018074282.tif 000004
【図３】
2018074282.tif 000005
【図４】
2018074282.tif 000006
【図５】
2018074282.tif 000007
【図６】
2018074282.tif 000008
【図７】
2018074282.tif 000009
【図８】
2018074282.tif 000010
【図９】
2018074282.tif 000011
【図１０】
2018074282.tif 000012
【図１１】
2018074282.tif 000013
【図１２】
2018074282.tif 000014
【図１３】
2018074282.tif 000015
【図１４】
2018074282.tif 000016
【図１５】
2018074282.tif 000017
【図１６】
2018074282.tif 000018
【図１７】
2018074282.tif 000019
【図１８】
2018074282.tif 000020
【図１９】
2018074282.tif 000021